(57)【要約】      （修正有）【課題】温風暖房機器から送られる温風をこたつに取り込んで温風暖房機器の熱を効率的に利用し、更に、拡張用テーブル、椅子、台座、踏み台、または収納棚など、多目的な機能を兼ね備えた暖房補助器具としての温風取込マルチボックスを提供する。【解決手段】こたつに温風Ｗを取り込むことを可能とするマルチボックスであって、温風暖房機器側の開口部１１とこたつ側の開口部１２の少なくとも二面が開口した本体部１０から構成され、本体部１０の内部には補強部３０を有し、該補強部３０は温風暖房機器からの温風Ｗを通風するための通風部２０を備え、補強部３０を有することによって、拡張用テーブル、椅子、台座、健康器具、または収納棚としての強度を備えた。【選択図】図２
0003215963.tif 000002
【実用新案登録請求の範囲】
【請求項１】
こたつ（Ｋ）に温風（Ｗ）を取り込むことを可能とするマルチボックスであって、
温風暖房機器（Ｆ）側の開口部（１１）とこたつ（Ｋ）側の開口部（１２）の少なくとも二面が開口した本体部（１０）から構成され、
前記本体部（１０）の内部には補強部（３０）を有し、
該補強部（３０）は前記温風暖房機器（Ｆ）からの前記温風（Ｗ）を通風するための通風部（２０）を備え、
前記補強部（３０）を有することによって、拡張用テーブル、椅子、台座、踏み台、健康器具、または収納棚としての強度を備えたことを特徴とする温風取込マルチボックス（１）。
【請求項２】
前記本体部（１０）の形状が直方体であって、
該直方体のうち対抗する二面が開口することを特徴とする請求項１に記載の温風取込マルチボックス（１）。
【請求項３】
前記補強部（３０）が、前記本体部（１０）の中心から等方的に均等な強度を有する構成に配置されたことを特徴とする請求項１または請求項２に記載の温風取込マルチボックス（１）。
【請求項４】
前記補強部（３０）が、格子状に形成されていることにより前記本体部（１０）内が分割された前記通風部（２０）を有することを特徴とする請求項１または請求項２に記載の温風取込マルチボックス（１）。
【請求項５】
前記補強部（３０）に、前記通風部（２０）の大きさを可変可能とする通風量調整機構（３１）を設けたことを特徴とする請求項１から請求項４の何れかに記載の温風取込マルチボックス（１）。
【考案の詳細な説明】
【技術分野】
【０００１】
本考案は、温風を引き込むボックスの技術に関し、詳しくは温風暖房機器から送られる温風をこたつに取り込んで、温風暖房機器から生じさせた熱エネルギーを効率的に利用し、更に、拡張用テーブル、椅子、台座、踏み台、または収納棚など、多目的な機能を発揮する暖房補助器具の技術に関する。
【背景技術】
【０００２】
従来より、冬は寒さを凌ぐ手段として、温風ヒーター、こたつ、石油ストーブなど、様々な暖房機器が使用されている。中でも日本特有の暖房器具として、こたつがある。こたつは、テーブルの上に専用の掛け布団を掛け、更にその上に天板を乗せ、内部に温熱部を備えたものである。こたつの中には、床に直接置くタイプの一般的なものや、掘りごたつ、近年では通常のテーブル式のこたつもある。どのこたつも、現在はこたつの上部中央の裏面に赤外線ヒーターを備えた構造が主流である。
【０００３】
また、こたつは、主に下半身を温めるものであり、通常、部屋全体を温めるためには、温風ヒーター等の温風暖房機器等と併用することになる。しかし、こたつの他にストーブ等の、他の暖房器具を併用することは、光熱費に無駄が生じてしまう問題がある。また、温風ヒーターは、灯油等の化石燃料を燃焼させて得られた熱を利用するため、比較的速く部屋を暖めることができるのに対し、こたつは電気で加熱するので、狭い範囲にも関わらず、こたつ内の温度を上昇させるのに比較的時間がかかる欠点を有している。
【０００４】
そのため、温風ヒーターの温風を直接こたつの中に導き、こたつ内を温めることが考えられ、筒状のダクト等で温風を導く器具が知られている。しかしながら、常に、ダクトを設置しておくと、その分こたつを使用できる人が少なくなることや、使用時以外のダクトの保管場所の確保なども問題点がある。そのため、温風ヒーター等からの温風を、効率よく、また、容易にこたつ内に導くことが可能で、使用時以外にも有効活用ができるこたつに温風を取込める補助具が求められている。
【０００５】
このような問題を解決すべく、従来からも種々の技術が提案されている。例えば、特許文献１には、発明の名称を「こたつ用温風引込ダクト」とする技術が提案され、公知技術となっている（特許文献１参照）。具体的には、「温風暖房機等から放出される熱風を利用するとともにテーブルとの組み合わせにより、内部に専用のヒータ等の発熱部を備えていないにも拘らず、通常のこたつ同様の温熱効果を有するこたつを構成できるこたつ用温風引込ダクトを提供する」ことを課題とし、その解決手段は「温風暖房機の温風吹出口近傍に開口端を向けて配設され、温風が流入する筒状の温風流入パイプと、前記温風流入パイプの他端より連なり１本の筒状をなし、開放側の端部がこたつ内に引き込まれ、温風が流出する温風流出パイプとを備え、温風暖房機から送風される温風を温風流入パイプ２及び温風流出パイプを介して、こたつ内へ送風させることができるようにする」というものである。しかしながら、係る技術では、温風暖房機の温風をこたつ内に導くことはできるものの、暖房機とこたつの間に温風流入パイプを設置しなければならず、使用する時期以外のパイプの保管場所が必要となってしまう。
【０００６】
また、特許文献２には、考案の名称を「温風引き込み器具」とする技術が提案され、公知技術となっている（特許文献２参照）。具体的には、「従来よりも器具本体の構造を簡素化し、かつ、使用時における暖房の効率性を向上させて石油又はガスなどの燃料消費を節約し且つ節電効果を高める」ことを課題とし、その解決手段は「ファンヒーターの送風口から放出される温風をこたつ内に引き込むための温風引き込み器具において、ファンヒーターの送風口の近傍に配置される温風集送部と、温風集送部に連通接続され且つこたつの閉鎖空間に向けて配置されるダクトとを備え、温風集送部は直方体の金属製缶である所謂一斗缶からなり、温風集送部のファンヒーターの送風口側に温風を送り込むための開口部を形成し、ダクトは円筒形の金属製導管からなり、温風集送部の開口部と対向する壁面下部にダクトの一端部を接続するための連通孔を設けた」というものである。しかしながら、係る技術では、温風を取り込むためのダクトが美観を損ねたり、こたつを利用する人数が減少したりと問題点が多い。また、利用しない季節においてダクトの収納場所が必要になるという問題もある。
【０００７】
また、特許文献３には、発明の名称を「石油ストーブ用こたつファン」とする技術が提案され、公知技術となっている（特許文献３参照）。具体体には、「温風ダクトに省電力で適度な風量のブロワを取り付け、ブロワ装置の存在しない石油ストーブでも光熱費の節減が可能となる、石油ストーブ用こたつファンを提供する」ことを課題とし、その解決手段は、「脚部の上部にブロワを設け、温風ダクトを介して、石油ストーブ上部からこたつ内部へ温風を引き込む機能」を採用したものである。しかしながら、係る技術では、送風機構を持たない暖房器具から発生する暖かい空気をこたつ内に導くことはできるものの、暖房機とこたつの間に温風流入パイプを設置しなければならず、パイプの片付け、保管については撤去時に保管場所への運搬が必要であり、本考案の課題を解決するに至っていない。
【０００８】
本考案者はそれらの問題を解決しようと、こたつ内に温風暖房機器の温風を取り込むことが可能であり、なおかつ使用時以外に収納する場所等の問題点を回避できる他の使用方法を可能としたマルチなこたつ温風取込マルチボックスの提案に至るものである。
【先行技術文献】
【特許文献】
【０００９】
【特許文献１】特開平１０−１１１０２１号
【特許文献２】実用新案第３１７１２４３号
【特許文献３】特開２００５−３０８３７６号
【考案の概要】
【考案が解決しようとする課題】
【００１０】
本考案は、温風暖房機器から送られる温風をこたつに取り込んで温風暖房機器の熱を効率的に利用し、更に、拡張用テーブル、椅子、台座、踏み台、または収納棚など、多目的な機能を兼ね備えた暖房補助器具としての温風取込マルチボックスを提供することを課題とするものである。
【課題を解決するための手段】
【００１１】
本考案は、こたつに温風を取り込むことを可能とするマルチボックスであって、温風暖房機器側の開口部と、こたつ側の開口部の、少なくとも二面が開口した本体部から構成され、前記本体部の内部には補強部を有し、該補強部は前記温風暖房機器からの前記温風を通風するための通風部を備え、前記補強部を有することによって、拡張用テーブル、椅子、台座、踏み台、健康器具、または収納棚としての強度を備えた構成を採用した。
【００１２】
また、本考案は、前記本体部の形状が直方体であって、該直方体のうち対抗する二面が開口する構成を採用することもできる。
【００１３】
また、本考案は、前記補強部が、前記本体部の中心から等方的に均等な強度を有する構成に配置された構成を採用することもできる。
【００１４】
また、本考案は、前記補強部が、格子状に形成されていることにより前記本体部内が分割された前記通風部を有する構成を採用することもできる。
【００１５】
また、本考案は、前記補強部に、前記通風部の大きさを可変可能とする通風量調整機構を設けた構成を採用することもできる。
【考案の効果】
【００１６】
本考案に係る温風取込マルチボックスによれば、部屋を暖める温風ヒーターの温風をこたつ内に取り込むことで、光熱費の節約を可能とし、また化石燃料の有効利用に資するとともに、前記の利用方法以外にも、拡張用テーブル、椅子、台座、踏み台、または収納棚などの多種多様な利用が可能であるという優れた効果を発揮するものである。
【００１７】
また、本考案に係る温風取込マルチボックスによれば、補強部を中心から等方的に設けているので、どの面に荷重を掛けても高い剛性を確保することができるという優れた効果を発揮するものである。
【００１８】
また、本考案に係る温風取込マルチボックスによれば、補強部に高い剛性を確保しつつ、通風部の形状が、温風が通過する際の妨げとならない形状を有しており、流路方向に対しては流れやすい形状としていることから、本体内部で乱流を生じにくく、騒音の発生も少なく、流体損失が極めて少ないという優れた効果を発揮するものである。
【００１９】
また、本考案に係る温風取込マルチボックスによれば、愛玩動物がこたつの中に本体内を通じて、こたつ内に出入りできないという優れた効果を発揮するものである。
【００２０】
また、本考案に係る温風取込マルチボックスによれば、寒い季節以外には拡張用テーブル、椅子、台座、踏み台、健康器具、または収納棚などとして、多目的な利用を可能とするという優れた効果を発揮するものである。
【図面の簡単な説明】
【００２１】
【図１】本考案に係る温風取込マルチボックスの利用状態を説明する説明断面図である。
【図２】本考案に係る温風取込マルチボックスの基本構成を説明する説明断面図である。
【図３】本考案に係る温風取込マルチボックスの補強部の形状を示す実施例説明図である。
【図４】本考案に係る温風取込マルチボックスの他の利用体系を示す利用体系説明図である。
【図５】本考案に係る温風取込マルチボックスの他の構成を説明する説明図である。
【考案を実施するための形態】
【００２２】
本考案に係る温風取込マルチボックス１は、こたつＫの外周部の一部に配置し、こたつ布団の一部を被せることによって温風ＷをこたつＫ内に導き、温風暖房機器Ｆから生ずる熱エネルギーを有効活用することを最大の特徴とするものである。以下、図面に基づいて説明する。なお、本実施例で示される温風取込マルチボックス１の全体形状及び各部の形状は、下記に述べる実施例に限定されるものではなく、本考案の技術的思想の範囲内、即ち、同一の作用効果を発揮できる形状及び寸法の範囲内で変更することができるものである。
【００２３】
図１は、本考案に係る温風取込マルチボックス１の利用状態を説明する説明断面図である。本考案に係る温風取込マルチボックス１は、こたつＫに温風Ｗを取り込むことを可能とする多面体から成る箱体であって、温風暖房機器Ｆ側の開口部１１とこたつＫ側の開口部１２の少なくとも二ヶ所の面が開口した本体部１０から構成されており、本体部１０の内部には、通風部２０と補強部３０を有し、補強部３０は温風暖房機器Ｆからの温風Ｗを通風するための通風部２０を設けるように備えられ、補強部３０を有することによって、拡張用テーブル、椅子、台座、踏み台、または収納棚としての強度を備えた構成となっている。
【００２４】
本体部１０は、本考案に係る温風取込マルチボックス１の全体を構成する本体であって、形状は多面体で構成され、少なくとも二ヵ所の面に温風暖房機器Ｆ側の開口部１１とこたつＫ側の開口部１２を有する。また、図１では断面で表しているため立体的には示されていないが、本体部１０は直方体を例に示したものである。なお、大きさについては、床から上面部までの高さがこたつＫの天板の位置と合うように構成すれば、拡張用テーブルとすることができる。他方、こたつＫの天板より低い高さとした場合は、子供用の補助椅子とすることもできる。
【００２５】
また、本体部１０は、正方の直方体であることが望ましく、係る形状が最も多目的な利用に資する形状であって、温風Ｗの流路に流体抵抗を生じさせない通風部２０とすることができる。なお、対抗する開口部１１と開口部１２を設ける二面と、他の四面とを同寸法とする正六面体とすることも有効である。この場合、開口部１１と開口部１２は並行となる。但し、係る正六面体以外では対抗面が平行とならないものも存在する。しかしながら、本体部１０の形状からこのような立体形状を除く必要はなく、例えば、開口部１１が低い位置で、開口部１２が高い位置となり、並行とならない配置構成となる場合であっても、温度差による温風Ｗの上昇する流れに沿うことが温風Ｗの流路として適することも存在する。
【００２６】
開口部１１は、温風暖房機器Ｆからの温風Ｗを取り込むために開口した通風口であり、開口部１２は、本体部１０内に取り込まれた温風ＷをこたつＫの内部へ送り出すために開口した通風口である。開口部１１と開口部１２は、補強部３０を介して連通した空洞部の出入り口となるものである。
【００２７】
通風部２０は、補強部３０によって形成される温風Ｗの流路であり、送風される温風Ｗの流路の妨げとならず、十分に温風暖房機器Ｆからの温風ＷをこたつＫの内部へ送風する形状を有し、可能な限り流体抵抗を抑え、乱流を生じさせない形状とする。具体的には、挿通方向に対して垂直方向の壁面を少なくし、流路方向を長手とする円、楕円、または羽根状とする。なお、通風部２０の大きさを規制することにより本考案に係る温風取込マルチボックス１を介して愛玩動物がこたつ内部に侵入することを防ぐことが可能となる。
【００２８】
補強部３０は、本体部１０の上面に使用者が乗り上げても耐え得る強度を有し、本体部１０のどの面を上面としてもその強度が一定なものとする為に、水平方向及び垂直方向に掛かる応力が均一化される形状及び構成とすることが必要である。具体的には、例えば、図２（ａ）に示すような、本体部１０の内部の略中央に、十字状、またはＸ字状に補強部３０を設けたり、図２（ｂ）に示すように、開口部１１近傍と開口部１２近傍とのそれぞれに補強部３０を設けたりしてもよい。また、図面には示していないが、補強部３０を三ヵ所以上設ける構成でもよい。補強部３０を設ける箇所を多数とすることにより、それぞれの補強部３０の流路方向の厚さを薄くすることも可能となる。
【００２９】
通風量調整機構３１は、図面には示していないが、外部から操作することによって本体１０内部に設けられた補強部３０に形状の変化を与え、通風部２０の大きさを可変可能とする機構である。具体的には、例えば、カメラのシャッター構造のように、通風部２０となる開口孔の大きさを変化させることによって、通風量を調節可能とすることが考えられる。また、補強部３０に設ける通風部２０を多数のスリットとし、係るスリットに対応したスリットを設けた板状部材を摺動させることによって、通風部２０の開口面積を可変可能とする構成でもよい。
【００３０】
温風暖房機器Ｆは、石油等の化石燃料を燃焼させ、電動ファンによって温風Ｗを送り出す一般的なものを想定している。但し、電動ファンを持たない薪ストーブや暖炉に送風装置を設けたものでも利用することが可能であり、熱源と送風装置が備えられているものであれば、特に限定されるものではない。
【００３１】
図３は、開口部１１・１２から見た補強部３０の形状または構成を示し、図３（ａ）は、本体部１０が直方体である場合の補強部３０が中心から均等に四方の壁部へ向かって放射状に設けられた構成を示し、図３（ｂ）は、本体部１０が直方体である場合の補強部３０が中心から均等に四方の角部へ向かって放射状に設けられた構成を示し、図３（ｃ）は、本体部１０が直方体である場合の補強部３０が四方の壁面部から隣接する壁面部へ向かって設けられた構成を示し、図３（ｄ）は、本体部１０が直方体である場合の補強部３０が格子状、または網状に設けられた構成を示し、図３（ｅ）は、本体部１０の中心から開口方向に向かって等方的に補強部３０を示した実施例を示している。
【００３２】
図３（ａ）に示した補強部３０の構成では、本体部１０の壁面のうち、どの面を上面、側面、底面として用いても補強部３０に作用する応力に対し、水平または垂直に作用するため座屈しにくい構成である。従って、使用者が台座として乗っても、変形しにくい補強構成である。
【００３３】
図３（ｂ）に示した補強部３０の構成では、本体部１０の壁面のうち、どの面を上面、側面、底面として用いても補強部３０に作用する応力が水平、または垂直方向に分散するように作用するため変形しにくい構成である。従って、使用者が台座として乗っても、破損しにくい補強構成である。
【００３４】
図３（ｃ）に示した補強部３０の構成も、図３（ａ）及図３（ｂ）に示したものと同様に応力の作用が分散するため、人の荷重に耐えやすい補強構成である。但し、上記の補強構成は強度を優先しようとすると通風部２０を確保することが難しくなるため、図２（ｂ）に示したように、補強部３０を複数個所設けることで通風部２０を確保することを考慮する。
【００３５】
図３（ｄ）に示した補強部３０の構成では、前記のような通風部２０を十分に確保するため、格子状または網状とした補強部３０を設けた構成である。係る構成を採用することにより、十分な通風部２０を確保することが可能となる。但し、係る構成では、補強部３０自体の剛性が、足りないことが考えられるため、補強部３０を設ける箇所を複数とするか、若しくは、本体部１０の厚みを増やすなどが必要となる。即ち、全体の重量と、剛性と、通風量と、内部の形状、更にはコスト等を総合考慮してそれぞれ寸法や、素材を適宜選択することとなる。
【００３６】
図３（ｅ）に示した補強部３０の構成では、本体部１０の中心から開口方向に向かって等方的に補強部３０を示した実施例を示している。係る構成を採用する場合、温風暖房機器Ｆからの温風Ｗを遮ることなく流路方向に壁面を有するように設けることができる。なお、図３（ｅ）では、床面方向の補強部３０を二重に設け、且つ、該補強部３０を二分割できる構成を示したものである。
【００３７】
図４は、本考案に係る温風取込マルチボックス１の温風Ｗを取り込んで利用する方法以外の、他の利用体系を示しており、図４（ａ）は、拡張用テーブルとしての利用状態を示し、図４（ｂ）は、子供が椅子として利用している状態を示し、図４（ｃ）は、踏み台または健康器具としての利用状態を示している。また、収納棚としての利用状態は図面には示さないが、本体部１０内部の空間領域を利用して物品を収納することが可能となる。
【００３８】
図４（ａ）は上記の通り、本考案に係る温風取込マルチボックス１を、拡張用テーブルとして利用することが可能であることを示しているが、係る利用においては利用するこたつＫの天板の高さと略共通の高さとすることが有効である。なお、こたつＫの天板よりも少し低い高さに構成することで、こたつＫ内への収納が可能となり、低部にスペーサーを挿入することでこたつＫの高さに合わせる調整が可能となる構成も有効である。
【００３９】
図４（ｂ）に示した通り、本考案に係る温風取込マルチボックス１は、椅子として利用することが可能である。図面に示したのは、高さを抑えた構成のものを椅子として利用する一例を示したものであり、こたつＫを背もたれ代わりに子供がテレビ等を観賞する椅子として利用している状態を表したものである。係る実施例では、椅子として利用できるものであるが、上面が座面となる一方で、前後の二面を開口部１１・１２として温風取りこみ機構を同時に備えることは可能である。
【００４０】
図４（ｃ）に示した通り、本考案に係る温風取込マルチボックス１は、踏み台、及び健康器具として利用することが可能である。即ち、本考案に係る温風取込マルチボックス１は、補強部３０により、本体部１０の上面に使用者が乗り上がっても耐え得る強度を有した構成を採用していることから、背の低い方が高所の荷物等を取り出したりする際の踏み台として利用することができるものである。踏み台として利用する場合は、高さを抑えた構成とし、一段当たりの段差を低くして、昇りやすい安全な踏み台とすることが好適である。また、図４（ｃ）に示すように複数組み合せることによって、段差を有する形式の踏み台として、高さを確保する構成の利用態様も可能である。なお、係る踏み台の上り下りを繰り返し行うことで、下半身の運動に好適な健康器具として利用することもできる。なお、健康器具として用いる場合は、前記低い構成の温風取込マルチボックス１を前後に一つずつ置いたり、階段状の段差型とするなど工夫を凝らすことによって、多様な健康器具として活用することが可能である。
【００４１】
また、図面には示していないが、本考案に係る温風取込マルチボックス１は、本体部１０の上面が平面となる構成であれば、該上面に花瓶や写真立てなどを載置できる台座として利用することができる。台座として利用する場合、補強部３０の存在により重量物も載置可能である。また、同様に、本体部１０内部へ物品を収納する収納棚としての利用も可能である。このような構成の利用において、本体部１０を色分けしたものを組み合せることで、収納物の分別やインテリアとしての美観を発揮する構成とすることができる。このように、本考案に係る温風取込マルチボックス１は、多目的にアイデア次第で多様な効果を発揮することを可能とするものでる。
【００４２】
図５は、本考案に係る温風取込マルチボックス１の他の構成を説明する説明図であり、
図５（ａ）は、組み合わせて本考案を構成する温風取込マルチボックス１の実施例を示す斜視図であり、図５（ｂ）は、組み合わせて本考案を構成する温風取込マルチボックス１の実施例を示す説明図である。図５（ａ）に示した通り、温風暖房機器Ｆからの温風Ｗを遮ることなく流路方向に壁面を有するように設け、床面方向の補強部３０については二重に設け、且つ、該補強部３０を二分割できる構成である。
【００４３】
また、係る構成を採用した実施例では、台座や図４（ｃ）に示すような踏台或いは健康器具に利用でき、またさらに、図面には示していないが、組み合わせて本考案を構成する温風取込マルチボックス１を分割して間隔をおき、一つずつ配置すれば、上り下りの後更に上り下りを繰り返すシンプルな構成の健康器具としても利用可能である。なお、図５に示した、組み合わせによって構成される温風取込マルチボックス１では、組み合わせた状態での位置決めとして、凸部と凹部を嵌合させる構成を示しているが、係る構成は必須ではなく必要に応じて設けることが望ましいものである。
【産業上の利用可能性】
【００４４】
本考案に係る温風取込マルチボックスは、こたつに温風を引き込むという構成から、温風暖房器具から発生する熱エネルギーを効率よく利用する他、暖房器具とは異なるマルチな用途に対応可能な機能を備えたことで需要が見込まれ、産業上の利用可能性は高いと考えられる。
【符号の説明】
【００４５】
１    温風取込マルチボックス
１０  本体部
１１  開口部
１２  開口部
２０  通風部
３０  補強部
３１  通風量調整機構
Ｆ    温風暖房機器
Ｗ    温風
Ｋ    こたつ
【図１】
0003215963.tif 000003
【図２】
0003215963.tif 000004
【図３】
0003215963.tif 000005
【図４】
0003215963.tif 000006
【図５】
0003215963.tif 000007